(57)【特許請求の範囲】
【請求項１】
地質調査で採取した地盤のコアを収納・保管するためのコア収納箱であって、耐腐食性を有する材料で製作された上面と一側面が開放された外箱内に所定長さのコアを複数列設できるように区画した中仕切り枠を収容し、外箱の開放された上面に上扉を開閉自在に設け、外箱の開放された一側面に横扉を開閉自在に設け、複数の外箱を多段に積み上げた際に横扉を開いてコアが列設された中仕切り枠を容易に取り出せるようにしたことを特徴とするコア収納箱。
【請求項２】
中仕切り枠に列設したコアの一端が外箱の開放された一側面に面するように中仕切り枠を区画し、横扉を開いてコアを直接取り出せるようにした請求項１記載のコア収納箱。
【請求項３】
中仕切り枠を開封自在の密封袋で密封した請求項１又は２記載のコア収納箱。
【請求項４】
地質調査で採取した地盤のコアを収納・保管するためのコア収納箱であって、耐腐食性を有する材料で製作された上面と一側面が開放された外箱内に所定長さのコアを納置する断面Ｕ字状のケースをそのコアの一端が外箱の開放された一側面に面するように複数収容し、外箱の開放された上面に上扉を開閉自在に設け、外箱の開放された一側面に横扉を開閉自在に設け、複数の外箱を多段に積み上げた際に横扉を開いてコアが納置されたケースを容易に取り出せるようにしたことを特徴とするコア収納箱。
【請求項５】
ケースを開封自在の密封袋で密封した請求項４記載のコア収納箱。
【請求項６】
地質調査で採取した地盤のコアを収納・保管するためのコア収納箱であって、耐腐食性を有する材料で製作された上面と一側面が開放された外箱内に上面が開放された内箱を収容し、外箱の開放された上面に上扉を開閉自在に設け、外箱の開放された一側面に横扉を開閉自在に設け、内箱の開放された上面に内上扉を開閉自在に設け、内箱内に所定長さのコアを複数列設できるように区画する仕切板を立設し、複数の外箱を積み上げた際に横扉を開いてコアが収納された内箱を容易に取り出せるようにしたことを特徴とするコア収納箱。
【請求項７】
内箱を開封自在の密封袋で密封した請求項６記載のコア収納箱。
【請求項８】
密封袋の開口部を二重に封止して気密性を向上できるようにした請求項３又は５又は７記載のコア収納箱。
【発明の詳細な説明】
【０００１】
【発明の属する技術分野】
本発明は、地質調査で採取した岩・土類等の試料（コア）を収納・保管するコア収納箱に関し、詳しくは多段に積み上げて保管した際、下方に保管されたコアを他の収納箱を積み降ろすことなく容易に取り出せるようにする技術に関する。
【０００２】
【従来の技術】
従来、地質調査においては現場作業により地盤からコアを採取し、コア収納箱に収納して持ち帰り、写真撮影及び観察・解析している。このコア収納箱は内部が仕切板で区画され、開放された上面に扉を備えて出し入れできるようにしている。
ところで、近距離の現場ではすぐに持ち帰って撮影等の作業にかかることができるが、遠距離の場合は全ての作業が終了した後に持ち帰って撮影等を行うことが多い。その為、現場から持ち帰ったコアは乾燥して固結状態になっており、コアの正確な情報が伝達できない問題があった。
また、採取したコアは３〜５年あるいは１０年程度の保管を余儀なくされているが、コアは既に乾燥しており、構造物建設時の掘削土との比較等ほとんど意味のないものになっていることが多かった。
さらに、多段に積み上げられたコア収納箱の最下段のコアを見たいという場合でも、上の全てのコア収納箱を積み降ろし、コアを見たら再度積み上げるという非常に低能率な作業を繰り返している。コアを収納した箱の重量は土で１５〜２０ｋｇ、岩で３０ｋｇ程に達するから大変な重労働を伴い、コア収納箱の移動の度にコアの保管状態も悪化していた。
【０００３】
【発明が解決しようとする課題】
本発明が解決しようとする課題は、従来のこれらの問題点を解消し、多段に積み上げて保管した際、下方に保管されたコアを他の収納箱を積み降ろすことなく容易に取り出せるようにするとともに、中仕切り枠をコアごとビニル袋等で密封することで乾燥や腐食を防止し、リアルタイムなコアの情報を伝達できるようにしたコア収納箱を提供することにある。
【０００４】
【課題を解決するための手段】
かかる課題を解決した本発明の構成は、
１）  地質調査で採取した地盤のコアを収納・保管するためのコア収納箱であって、耐腐食性を有する材料で製作された上面と一側面が開放された外箱内に所定長さのコアを複数列設できるように区画した中仕切り枠を収容し、外箱の開放された上面に上扉を開閉自在に設け、外箱の開放された一側面に横扉を開閉自在に設け、複数の外箱を多段に積み上げた際に横扉を開いてコアが列設された中仕切り枠を容易に取り出せるようにしたことを特徴とするコア収納箱
２）  中仕切り枠に列設したコアの一端が外箱の開放された一側面に面するように中仕切り枠を区画し、横扉を開いてコアを直接取り出せるようにした前記１）記載のコア収納箱
３）  中仕切り枠を開封自在の密封袋で密封した前記１）又は２）記載のコア収納箱
４）  地質調査で採取した地盤のコアを収納・保管するためのコア収納箱であって、耐腐食性を有する材料で製作された上面と一側面が開放された外箱内に所定長さのコアを納置する断面Ｕ字状のケースをそのコアの一端が外箱の開放された一側面に面するように複数収容し、外箱の開放された上面に上扉を開閉自在に設け、外箱の開放された一側面に横扉を開閉自在に設け、複数の外箱を多段に積み上げた際に横扉を開いてコアが納置されたケースを容易に取り出せるようにしたことを特徴とするコア収納箱
５）  ケースを開封自在の密封袋で密封した前記４）記載のコア収納箱
６）  地質調査で採取した地盤のコアを収納・保管するためのコア収納箱であって、耐腐食性を有する材料で製作された上面と一側面が開放された外箱内に上面が開放された内箱を収容し、外箱の開放された上面に上扉を開閉自在に設け、外箱の開放された一側面に横扉を開閉自在に設け、内箱の開放された上面に内上扉を開閉自在に設け、内箱内に所定長さのコアを複数列設できるように区画する仕切板を立設し、複数の外箱を積み上げた際に横扉を開いてコアが収納された内箱を容易に取り出せるようにしたことを特徴とするコア収納箱
７）  内箱を開封自在の密封袋で密封した前記６）記載のコア収納箱
８）  密封袋の開口部を二重に封止して気密性を向上できるようにした前記３）又は５）又は７）記載のコア収納箱
にある。
【０００５】
【作用】
本発明によれば、コア収納箱の上扉を開いて現場から採取したコアを収納し、保管場所に運搬して多段に積み上げて保管する。撮影・解析時には所望のコアが収納されたコア収納箱の横扉を開いて中から容易に取り出され、従来のようにコア収納箱を積み直す必要がない。
中仕切り枠又はケース又は内箱をコアごと密封袋で密封したものは、コアの乾燥・腐食を防止してリアルタイムなコアの情報を長期に渡って伝達できるようにする。
【０００６】
【発明の実施の形態】
本発明のコア収納箱を構成する外箱としては、アルミニウムやステンレス等のサビが発生し難い合金製やプラスチック製など耐腐食性を有する材料が用いられ、ベニヤ等の木質の場合は防腐処理や塗装を施しておくことで使用できる。
中仕切り手段としては、上方が開放された断面Ｕ字状の仕切り本体に所定長さのコアを列設できるように区画する複数の仕切板を一方向に沿って所定間隔に立設したものや、所定長さのコア毎に納置する断面Ｕ字状のケース、あるいは上面を開閉自在にする上扉を設けた内箱内にコアを列設できるように区画する複数の仕切板を一方向に沿って所定間隔に設けたもの等、いずれも多段に積み上げたコア収納箱の横扉を開いて所望のコアを取り出し易くする構造が採用される。区画数は４〜６が一般的である。
密封袋としては、ビニルやポリエチレン等の透明又は半透明の防水防湿性を有し、エアチャックやジッパー等で容易に開閉できるようにしたものが用いられ、二重に封止できるようにすると気密性をより向上できて好ましい。
以下、本発明の各実施例を図面に基づいて具体的に説明する。
【０００７】
【実施例】
実施例１（図１〜６参照）
図１は、実施例１のコア収納箱の上扉と横扉を開いた状態の説明図である。
図２は、実施例１のコア収納箱の斜視図である。
図３は、図２のＡ−Ａ断面図である。
図４は、実施例１の中仕切り枠の斜視図である。
図５は、実施例１の中仕切り枠を密封袋に入れた状態の平面図である。
図６は、実施例１のコア収納箱の使用状態を示す説明図である。
【０００８】
図中、１は外箱であって、長さ１０６０ｍｍ、幅３５０ｍｍ、高さ８０ｍｍ（上扉含む）のアルミニウム合金製で、上面と一側面を開放している。１ａは上扉であって、アルミニウム合金製で、蝶番１ｂを介して外箱１の開放した上面に開閉自在に取り付け、側面に閉鎖後外箱１に固定するロックピン１ｃを２箇所設けている。１ｄは横扉であって、アルミニウム合金製で、蝶番１ｅを介して外箱１の開放した一側面に開閉自在に取り付け、横扉１ｄ表面に取っ手１ｆを取り付けている。１ｇは採取したコアの情報を記録する記録ボードである。
２は中仕切り枠であって、長さ１０３０ｍｍ、幅３１０ｍｍ、高さ４５ｍｍのプラスチック製で、５箇所に断面略Ｕ字状に区画する仕切壁２ａを長手方向に沿って立設して、外箱１内に収容できるようにしている。２ｂはコアの収納空間である。
３は密封袋であって、透明なポリエチレン製からなり、開口部を開封自在にする二重のエアチャック３ａを設け、中仕切り枠２とコアを密封できるようにしている。
Ｃはコア（土）である。
【０００９】
実施例１では、地質調査現場で複数箇所からコアＣを採取し、同コアＣを中仕切り枠２の区画された各収納空間２ｂにそれぞれ収納し、同中仕切り枠２を密封袋３に入れてエアチャック３ａで開口を封止して密封する。そして、これを外箱１内に収容して上扉１ａを閉め、所定の保管場所に運搬して多段に積み上げられて保管される。
撮影・解析等は、外箱１の横扉１ｄを開いて中仕切り枠２を引き出し、密封袋３のエアチャック３ａを開封して所望のコアＣを取り出すことで成される。外箱１が最上段にある場合も高所であるから無理に積み降ろして上扉１ａ側から取り出すことなく、横扉１ｄを開いて取り出せばよい。
このように実施例１では、外箱１がいずれの位置にあっても横扉１ｄからコアＣを取り出すことができるから、従来のように取り出しの度に外箱１を積み直す重労働を行う必要がなく、極めて楽に短時間に出し入れでき、しかも積み直し時の振動もほとんどないため良好な保管状態を維持できる。さらに、中仕切り枠２は密封袋３で密封するから、コアＣの乾燥や腐食を防止して何時に取り出しても採取当時のコアＣの情報を入手できる。
【００１０】
実施例２（図７参照）
図７に示す実施例２は、実施例１の中仕切り枠に代えてコアを一本毎納置できるケースを用いた例である。
図７は、実施例２のケースの説明図である。
図中、４はプラスチック製からなる断面Ｕ字状のケースである。
実施例２では、採取したコアＣを複数のケース４内に納置して密封袋３でそれぞれ密封し、外箱１内に５本並列に収納して保管される。
従って、撮影・解析時は横扉１ｄを開くことで所望のコアＣを一本ごと独立して取り出されるから、実施例１と比較してより楽に出し入れできる。
その他、符号、構成、作用効果は実施例１と同じである。
【００１１】
実施例３（図８，９参照）
図８，９に示す実施例３は、実施例１の中仕切り枠に代えて上扉を備えた内箱を用いた例である。
図８は、実施例３の内箱の説明図である。
図９は、図８の上扉と内上扉を閉めた状態のＡ−Ａ断面図である。
図中、５はベニヤ製からなる内箱、５ａは内上扉、５ｂは内上扉を内箱５に開閉自在に取り付ける蝶番、５ｃは仕切板である。
実施例３では、外箱１内に同外箱１と略同じ形状の内箱５を収容できるようにしたものである。撮影・解析時は横扉１ｄを開いて内箱５を引き出し、密封袋３を開封して内上扉５ｂを開き、所望のコアＣが取り出される。
その他、符号、構成、作用効果は実施例１と同じである。
【００１２】
【発明の効果】
以上説明したように、本発明によれば複数の収納箱を多段に積み上げた際に下方に保管されたコアを他の収納箱を積み降ろすことなく横扉を開いて容易に取り出せ、しかも密封袋で密封することでコアの乾燥や腐食を防止して、リアルタイムなコアの情報の伝達を可能としたコア収納箱を提供できる。
【図面の簡単な説明】
【図１】実施例１のコア収納箱の上扉と横扉を開いた状態の説明図である。
【図２】実施例１のコア収納箱の斜視図である。
【図３】図２のＡ−Ａ断面図である。
【図４】実施例１の中仕切り枠の斜視図である。
【図５】実施例１の中仕切り枠を密封袋に入れた状態の平面図である。
【図６】実施例１のコア収納箱の使用状態を示す説明図である。
【図７】実施例２のケースの説明図である。
【図８】実施例３の内箱の説明図である。
【図９】図８の上扉と内上扉を閉めた状態のＡ−Ａ断面図である。
【符号の説明】
１  外箱
１ａ  上扉
１ｂ  蝶番
１ｃ  ロックピン
１ｄ  横扉
１ｅ  蝶番
１ｆ  取っ手
１ｇ  記録ボード
２  中仕切り枠
２ａ  仕切壁
２ｂ  収納空間
３  密封袋
３ａ  エアチャック
４  ケース
５  内箱
５ａ  内上扉
５ｂ  蝶番
５ｃ  仕切板
Ｃ  コア
【図１】
0003610344.tif 000002
【図２】
0003610344.tif 000003
【図３】
0003610344.tif 000004
【図４】
0003610344.tif 000005
【図５】
0003610344.tif 000006
【図６】
0003610344.tif 000007
【図７】
0003610344.tif 000008
【図８】
0003610344.tif 000009
【図９】
0003610344.tif 000010